(57)【要約】【課題】構造が簡単で、低価格な簡易なマイナスイオン発生器を提供することを目的とする。【解決手段】一端にカーエアコン等の吹き出し口のフレームに着脱自在に保持するための保持部、他端に回転羽根の軸受け部材を装着する軸受け装着部が一体に形成されるＬ字形の支持部材と、一端に前記支持部材の軸受け装着部に着脱自在に装着される支持部材装着部、他端に前記回転羽根の抜け止め部及びトルマリン粉末含有樹脂部材装着部が一体に形成される軸受け部材と、前記軸受け部材を挿入する貫通孔を有し前記軸受け部材に回転自在に装着される回転羽根と、前記軸受け部材の先端のトルマリン粉末含有樹脂部材装着部に着脱自在に装着されるトルマリン粉末含有樹脂部材とから成ることを特徴とするマイナスイオン発生器。【選択図】図１
2004073519.tif 000002
【特許請求の範囲】
【請求項１】
一端にカーエアコン等の吹き出し口のフレームに着脱自在に係止するための係止部、他端に回転羽根の軸受け部材を装着する軸受け装着部が一体に形成されるＬ字形の支持部材と、一端に前記支持部材の軸受け装着部に着脱自在に装着される支持部材装着部、他端に前記回転羽根の抜け止め部及びトルマリン粉末混練樹脂部材装着部が一体に形成される軸受け部材と、前記軸受け部材を挿入する貫通孔を有し前記軸受け部材に回転自在に装着される回転羽根と、前記軸受け部材の先端のトルマリン粉末混練樹脂部材装着部に着脱自在に装着されるトルマリン粉末混練樹脂部材とから成ることを特徴とするマイナスイオン発生器。
【請求項２】
前記支持部材、軸受け部材、回転羽根が樹脂により成形されることを特徴とする請求項１に記載のマイナスイオン発生器。
【発明の詳細な説明】
【０００１】
【発明の属する技術分野】
本発明は、マイナスイオンは簡易なマイナスイオン発生器に関するものである。
【０００２】
【従来の技術】
近年、室内環境等の快適性を向上させる一つの要素として、空気中のマイナスイオンが注目を集めている。例えば、マイナスイオンの増加は、情緒の安定、疲労の回復、細胞の活性化等を促すとされている。
【０００３】
マイナスイオンを発生する方法としては、（１）滝周辺と同じようにレナード効果を利用したもの、（２）放電を利用したもの、（３）放射線を利用したもの、（４）トルマリンを利用したもの等が提案されている。
【０００４】
【発明が解決しようとする課題】
しかし、上記マイナスイオン発生方法には、以下の課題が存在する。（１）のレナード効果を利用する方法は多くの水を必要とするという問題があり、（２）の放電を利用する方法は、体に有害なオゾンやＮＯＸガスを同時に生成してしまうという問題があり、（３）の放射線を利用する方法は、その放射材料のコストが高いという問題がある。（４）のトルマリンを利用した方法としては、特開２００２−９５７３３号公報で提案されたものがある。このトルマリンを利用したマイナスイオンの発生装置の従来例を図４により説明すると、ファン２１及び基材２２にて構成されるマイナスイオン発生器２０は天井面２３に設置される装置本体に設けることによりマイナスイオン発生装置が構成される。基材２２は、金属、木材、繊維等によりメッシュ状の板状またはシート状に形成しトルマリン粉末を担持したものである。トルマリン粉末を担持した基材２２を複数枚近接して配置し、基材１に向けて送風するファン２１は、ファン制御装置２４により回転駆動制御される。ファン２１からの送風により複数の基材２２同士が衝突し、基材に担持されているトルマリン粉末が加圧され、トルマリン周囲の空気がマイナスイオン化して、マイナスイオンを気流中に混入させ、通気用スリット２５から室内に送り出すものである。このような、マイナスイオン発生装置は、交流電源２６が必要であり、高価である。
【０００５】
本発明は、従来のマイナスイオン発生装置の持つ問題点を解消し、簡易で低価格のマイナスイオン発生器を提供することを目的とする。
【０００６】
【問題を解決するための手段】
本第１発明は、上記課題を解決するために次のように構成される。
マイナスイオン発生器において、一端にカーエアコン等の吹き出し口のフレームに着脱自在に保持するための保持部、他端に回転羽根の軸受け部材を装着する軸受け装着部が一体に形成されるＬ字形の支持部材と、一端に前記支持部材の軸受け装着部に着脱自在に装着される支持部材装着部、他端に前記回転羽根の抜け止め部及びトルマリン粉末混練樹脂部材装着部が一体に形成される軸受け部材と、前記軸受け部材を挿入する貫通孔を有し前記軸受け部材に回転自在に装着される回転羽根と、前記軸受け部材の先端のトルマリン粉末混練樹脂部材装着部に着脱自在に装着されるトルマリン粉末混練樹脂部材とから成ることを特徴とする。
【０００７】
本第２発明は、第１発明のマイナスイオン発生器において、前記支持部材、軸受け部材、回転羽根が樹脂により成形されることを特徴とする。
【０００８】
【作用】
本第１発明の構成により、マイナスイオン発生器が少ない部品で構成され、それぞれの部材が着脱自在となっているため、構造が簡単であり、低価格で製造が可能である。さらに、カーエアコン、室内冷暖房器の空気吹き出し口のフレームに簡単に装着が可能であり、空気吹き出し口からの風によりファンが回転し、その風がトルマリン粉末混練樹脂部材に当たり、トルマリン粉末混練樹脂部材の周囲の空気をマイナスイオン化し、マイナスイオンを含む気流を車内または室内に簡単に行き渡らせることが可能である。
また、本第２発明の構成により、各部材を樹脂成形で簡単に大量に製造が可能であり、色付けも容易であることから、カラフルなマイナスイオン発生器が安価に大量に製造可能となる。
【０００９】
【発明の実施の形態】
以下、本発明の実施形態を説明する。
【００１０】
トルマリンは、通称電気石と呼ばれ、それ自身に極性を有し、これに圧力や張力等を加えると一端が正に、他端が負に分極し、それに伴って周囲の空気をマイナスイオン化する性質を有するものである。
【００１１】
本発明のマイナスイオン発生器１は、このトルマリンの性質を利用するものである。
本発明の実施形態を図により説明する。マイナスイオン発生器１は、Ｌ字状に屈曲した支持部材２を有する。支持部材２の一端には、カーエアコンや、室内空調器の空気吹出し口のフレーム等に係止するクリップ形式の係止部３が一体に形成される。支持部材２の他端には、軸受け部材５の一端が挿入される軸受け部材挿入孔４が形成される。
【００１２】
軸受け部材５の一端には、前記のように、支持部材２の軸受け部材挿入孔４に挿入される挿入部６が形成される。軸受け部材５は断面円形の軸受け部７に続いて、軸受け部７より大径の抜け止め部８が形成され、抜け止め部８の先端に、トルマリン粉末混練樹脂部材１０を装着するトルマリン粉末混練樹脂部材装着部９が形成される。
【００１３】
風車形式の回転羽根１２には、前記軸受け部材５の軸受け部７が挿入する断面円形の貫通孔１３が形成される。回転羽根１２の貫通孔１３に軸受け部材５の軸受け部７を挿入することにより、回転羽根１２は、軸受け部材５に回転自在に軸支される。
【００１４】
軸受け部材５のトルマリン粉末混練樹脂部材装着部９に着脱自在に装着されるトルマリン粉末混練樹脂部材１０は、前記トルマリン粉末混練樹脂部材装着部９が挿入される挿入孔１１を有する。
【００１５】
トルマリン粉末を混練する樹脂としては、難帯電性、すなわち、少なくとも静電気に帯電しにくいものを使用する。例えば、シリコンゴム、シリコン変性体、シリコン樹脂、シリコン樹脂変性体、フッソゴム、フッソゴム変性体、フッソ樹脂、フッソ樹脂変性体等である。
【００１６】
本発明のマイナスイオン発生器１の各部材の組立て手順は、軸受け部材５の軸受け部７に回転羽根１２の貫通孔１３を挿入して、回転羽根１２を回転自在に装着し、軸受け部材５の先端のトルマリン粉末混練樹脂部材装着部９をトルマリン粉末混練樹脂部材１０の挿入孔１１に挿入してトルマリン粉末混練樹脂部材１０を装着する。その後、軸受け部材５の挿入部６を支持部材２の軸受け部材挿入孔４に挿入することによりマイナスイオン発生器１を組み立てる。
【００１７】
このようにして組み立てられたマイナスイオン発生器１は、カーエアコン１４の空気吹出し口フレーム１５に支持部材２の係止部３を係止させて取付ける。空気吹出し口からの風により回転羽根１２が回転し、回転羽根１２からの風がトルマリン粉末混練樹脂部材１０の表面に当たると、トルマリンの分極により周囲の空気をマイナスイオン化して車内にマイナスイオンを行き渡らせる。
【００１８】
【発明の効果】
本第１発明の構成により、マイナスイオン発生器が少ない部品で構成され、それぞれの部材が着脱自在となっているため、構造が簡単であり、低価格で製造が可能である。さらに、カーエアコン、室内冷暖房器の空気吹き出し口のフレームに簡単に装着が可能であり、空気吹き出し口からの風によりファンが回転し、その風がトルマリン粉末混練樹脂部材に当たり、トルマリン粉末混練樹脂部材の周囲の空気をマイナスイオン化し、マイナスイオンを含む気流を車内または室内に簡単に行き渡らせることが可能である。
また、本第２発明の構成により、各部材を樹脂成形で簡単に大量に製造が可能であり、色付けも容易であることから、カラフルなマイナスイオン発生器が安価に大量に製造可能となる。
【図面の簡単な説明】
【図１】本発明のマイナスイオン発生器の正面図
【図２】本発明のマイナスイオン発生器の各部材の分解図
【図３】本発明のマイナスイオン発生器の使用状態を示す図
【図４】従来のマイナスイオン発生装置を示す図
【符号の説明】
１：マイナスイオン発生器の正面図
２：支持部材
３：係止部
４：軸受け部材挿入孔
５：軸受け部材
６：挿入部
７：軸受け部
８：抜け止め部
９：トルマリン粉末混練樹脂部材装着部
１０：トルマリン粉末混練樹脂部材
１１：挿入孔
１２：回転羽根
１３：貫通孔
１４：カーエアコン
１５：空気吹出し口フレーム
２０：マイナスイオン発生器
２１：ファン
２２：基材
２３：天井面
２４：ファン制御装置
２５：通気用スリット
２６：交流電源
【図１】
2004073519.tif 000003
【図２】
2004073519.tif 000004
【図３】
2004073519.tif 000005
【図４】
2004073519.tif 000006